(57)【特許請求の範囲】
【請求項１】
トップリングとテーブルを具備し、該テーブルとトップリングの間に被研磨物を介在させ、所定の力で該被研磨物を押圧し、該被研磨物の表面を研磨するポリッシング装置において、前記テーブルの内部に研磨中の該被研磨物の膜厚を検出するための被研磨物膜厚検出手段を設け、
前記被研磨物膜厚検出手段は、前記センサを前記テーブル上の半径方向に複数個配置して構成し、該被研磨物の被研磨面全面の膜厚を同時に検出可能とすることを特徴とするポリッシング装置。
【請求項２】
前記テーブルの中心と外周の弧によって囲まれる、前記センサを含む領域に、被研磨物の被研磨面接触面に研磨能力の極めて低い材料あるいは研磨能力を有しない材料を設けることを特徴とする請求項１に記載のポリッシング装置。
【請求項３】
検出された膜厚が所定の膜厚に一致した時点で研磨動作を終了することを特徴とする請求項１または２に記載のポリッシング装置。
【請求項４】
検出された膜厚とその時点までの研磨時間に基づいて研磨速度を算出することを特徴とする請求項１乃至３のいずれか１項に記載のポリッシング装置。
【請求項５】
トップリングとテーブルを具備し、該テーブルとトップリングの間に被研磨物を介在させ、所定の力で該被研磨物を押圧し、該被研磨物の表面を研磨し、該被研磨物が該テーブルに設けられた膜厚検出手段によって、半径位置が異なる複数の該被研磨物測定点の膜厚の時間変化を測定し、該被研磨物の研磨プロファイルを研磨中に制御することを特徴とするポリッシング方法。
【発明の詳細な説明】
【０００１】
【発明の属する技術分野】
本発明はポリッシング装置及び方法に係り、特に半導体ウエハ等の被研磨物を研磨する際、被研磨物をトップリングに装着した状態で該被研磨物の研磨面を露出させることなく、被研磨物の膜厚をリアルタイムで連続的に検出することができるポリッシング装置及び方法に関するものである。
【０００２】
【従来の技術】
近年、半導体デバイスの高集積化が進むにつれて回路の配線が微細化し、配線間距離もより狭くなりつつある。特に、０．５μｍ以下の光リソグラフィの場合は、焦点深度が浅くなるため、ステッパーの結像面の平坦度を必要とする。そこで、半導体ウエハ表面を平坦化することが必要となるが、この平坦化法の１手段として半導体ウエハの表面をポリッシング装置で研磨することが行われている。
【０００３】
この種のポリッシング装置は、対向し各々独立して回転するターンテーブルとトップリングを具備し、トップリングが一定の圧力をターンテーブルに与え、ターンテーブルとトップリングの間に半導体ウエハを介在させて、該半導体ウエハの表面を平坦かつ鏡面に研磨している。
【０００４】
【発明が解決しようとする課題】
上記のようなポリッシング装置を用いて半導体ウエハを研磨する場合の問題点は、半導体ウエハの研磨面が所望の平坦度又は厚さに研磨されているかどうかを決定することにある。例えば、半導体ウエハ上に蒸着層を形成し、その上に種々の集積回路素子を形成し、酸化物材料の厚さを取り除きたいことがよくある。この酸化物材料の取り除きあるいは平坦化する際に、素子のどの部分も取り除くことなく、酸化物を種々の集積回路素子の頂部まで取り除くことが望ましい。
【０００５】
従来、この平坦化のプロセスは、ターンテーブルとトップリングの回転速度、トップリングのターンテーブルに与える圧力、化学的スラリー及び平坦化プロセスの時間を制御することによって行われていた。そして、半導体ウエハの被研磨面の膜厚、平坦度等は、ポリッシング装置から半導体ウエハを機械的に取り外し、当該技術分野で公知の方法によって物理的に測定することによって確認していた。
【０００６】
ここで、ウエハが仕様に適合しない場合、当該ウエハをポリッシング装置に戻し、更に２度目の平坦化研磨工程を行っていた。即ち、研磨面の膜厚を検出するためには、ポリッシング装置から半導体ウエハを取り外し、更に研磨不足の場合は再び半導体ウエハをポリッシング装置にセットするという作業の反復が必要となり、この作業に費やす時間及び労力が問題となっていた。
【０００７】
この問題に対して、半導体ウエハをトップリングに装着したまま、研磨途中にトップリングをターンテーブル外にずらして被研磨面を露出させた状態で膜厚を検出する方法が提案されている。この方法によれば、上記の時間及び労力の問題は大幅に解消されることになるが、膜厚を検出するには、一時的にトップリングをターンテーブル外にずらす工程が必要となるため、リアルタイムでの膜厚検出が不可能であること、また研磨時間が長くなるなどの問題がある。
【０００８】
本発明は上述の事情に鑑みなされたもので、半導体ウエハをポリッシング装置のトップリングに装着したまま、該トップリングをターンテーブル外にずらすことなく、被研磨面の膜厚をリアルタイムで検出できるポリッシング装置及び方法を提供することを目的とする。
【０００９】
【課題を解決するための手段】
上述した目的を達成するため、本発明のポリッシング装置は、トップリングとテーブルを具備し、該テーブルとトップリングの間に被研磨物を介在させ、所定の力で該被研磨物を押圧し、該被研磨物の表面を研磨するポリッシング装置において、前記テーブルの内部に研磨中の該被研磨物の膜厚を検出するための被研磨物膜厚検出手段を設け、前記被研磨物膜厚検出手段は、前記センサを前記テーブル上の半径方向に複数個配置して構成し、該被研磨物の被研磨面全面の膜厚を同時に検出可能とすることを特徴とするものである。
【００１２】
本発明の一態様は、前記テーブルの中心と外周の弧によって囲まれる、前記センサを含む領域に、被研磨物の被研磨面接触面に研磨能力の極めて低い材料あるいは研磨能力を有しない材料を設けることを特徴とする。
【００１３】
本発明の一態様は、検出された膜厚が所定の膜厚に一致した時点で研磨動作を終了することを特徴とする。
本発明の一態様は、検出された膜厚とその時点までの研磨時間に基づいて研磨速度を算出することを特徴とする。
本発明のポリッシング方法は、トップリングとテーブルを具備し、該テーブルとトップリングの間に被研磨物を介在させ、所定の力で該被研磨物を押圧し、該被研磨物の表面を研磨し、該被研磨物が該テーブルに設けられた膜厚検出手段によって、半径位置が異なる複数の該被研磨物測定点の膜厚の時間変化を測定し、該被研磨物の研磨プロファイルを研磨中に制御することを特徴とするものである。
前記被研磨物膜厚検出手段は、前記受光部で受光した受光信号を増幅する増幅部と、該増幅部で増幅された受光信号からノイズを除去するアナログフィルタと、該ノイズが除去された受光信号をデジタル信号に変換するＡ／Ｄ変換部と、該デジタル信号化された前記受光信号と初期値との差の絶対値を算出し、該差の絶対値と所定の闘値とを比較演算する演算部からなるようにしてもよい。
【００１４】
本発明は上記構成を採用することにより、研磨中に、投光部から該研磨面に光を投射し、該被研磨物で反射する光を受光部で受光し、該受光部で受光する反射光から該被研磨物の膜厚をリアルタイムで、かつ連続的に自動検出できる。したがって、従来のように、被研磨物の膜厚を検出するたびに被研磨物をトップリングから取り外す必要がないのは勿論、研磨途中で、トップリングをテーブル外までずらす必要もない。
【００１５】
【実施例】
以下、本発明に係るポリッシング装置の実施例を図面に基づいて説明する。本実施例においては、被研磨物として半導体ウエハを例に挙げて説明する。
図１は、本発明のポリッシング装置の全体構成を示す縦断面図である。図１に示されるように、ポリッシング装置は、ターンテーブル１と、半導体ウエハ２を保持しつつターンテーブル１に押付けるトップリング３とを具備している。前記ターンテーブル１はモータ（図示せず）に連結されており、矢印で示すようにその軸心回わりに回転可能になっている。また、ターンテーブル１の上面には、研磨布４が貼設されている。
【００１６】
また、トップリング３は、モータ（図示せず）に連結されるとともに昇降シリンダ（図示せず）に連結されている。これによって、トップリング３は、矢印で示すように昇降可能かつその軸心まわりに回転可能になっており、半導体ウエハ２を研磨布４に対して任意の圧力で押圧することができるようになっている。なお、トップリング３の下部外周部には、半導体ウエハ２の外れ止めを行うガイドリング６が設けられている。
また、ターンテーブル１の上方には研磨砥液ノズル５が設置されており、研磨砥液ノズル５によってターンテーブル１に張り付けられた研磨布４上に研磨砥液Ｑが供給されるようになっている。
【００１７】
上記構成のポリッシング装置において、トップリング３の下面に半導体ウエハ２を保持させ、半導体ウエハ２を回転しているターンテーブル１の上面の研磨布４に昇降シリンダにより押圧する。一方、研磨砥液ノズル５から研磨砥液Ｑを流すことより、研磨布４に研磨砥液Ｑが保持されており、半導体ウエハ２の研磨される面（下面）と研磨布４の間に研磨砥液Ｑが存在した状態でポリッシングが行われる。
【００１８】
図２は本発明のポリッシング装置の要部詳細を示す図である。半導体ウエハ２には基板の表面にＳｉＯ２からなる酸化膜が形成されている。ポリッシング装置は、酸化膜の膜厚を研磨中に測定するための膜厚検出手段を備えている。トップリング３は研磨終了時点まで、半導体ウエハ２の被研磨面の全体がターンテーブル１の上面、すなわち研磨布４で覆われた状態となるような位置をとり、この状態のままで、膜厚検出手段によって、研磨中の被研磨面の酸化膜の膜厚をリアルタイムで、かつ連続的に検出する。
【００１９】
膜厚検出手段は、図２に示すように半導体ウエハ２の被研磨面に光を投光する投光部７と被研磨面で反射する光を受光する受光部８とからなるセンサＳ、増幅部９、アナログフィルタ１０、Ａ／Ｄ変換部１１、演算部１２、制御部１３を備えている。投光部７及び受光部８からなるセンサＳはターンテーブル１上のトップリング３の軌道上に配置されており、かつ研磨布４の下方でターンテーブル１の内部に設けられている。センサＳの投光部７及び受光部８は、それぞれ単一あるいは複数の投光素子、受光素子を具備し、該投光素子の各々から半導体ウエハ２の被研磨面に光を照射し、各々の反射光は受光素子で受光する。また、研磨布４には、センサＳの光を通過させるように孔が設けられている。
【００２０】
なお、センサＳの投光部７及び受光部８は、半導体ウエハ２の中心の位置する軌道上に配置すれば１組だけで、半導体ウエハ２の移動に伴なって被研磨面全面の膜厚検出が可能である。ただし、この場合は、検出時刻に多少のタイムラグが生ずるため、同一時刻での検出が必要とされる場合は、複数組の投光部７、受光部８が必要となる。
【００２１】
受光部８で受光された反射光は、各々の強度に比例した電気信号に変換されて増幅部９によって一定倍率で増幅され、アナログフィルタ１０を通ってノイズが除去される。次に、各々の電気信号がＡ／Ｄ変換部１１に送られ、アナログ信号がデジタル信号に変換され、一定間隔の信号としてサンプリングされる。
【００２２】
次に、各々のデジタル信号を演算部１２に入力し、該演算部１２で各々の信号の強度を算出し、各々の強度を加算して加算値を得る。この加算値から半導体ウエハ２の被研磨面の膜厚が算出される。また、該加算値と、予め記憶されている初期値（研磨開始前の反射光強度の加算値、即ち初期加算値）と比較演算し、加算値と初期値との差分絶対値から、研磨速度が算定される。ここで得られた、被研磨面全面の膜厚、研磨速度をもとにポリッシング装置の運転条件を演算し、この演算結果を制御部１３に送り、ポリッシング装置の運転操作条件を制御し、被研磨面の平坦度向上をはかる。また、半導体ウエハの被研磨面上の各点で測定された膜厚を比較することによって被研磨面の平坦度を知ることができる。
【００２３】
半導体ウエハ上の特定点の膜厚を時間経過に対して測定することで、研磨中の研磨速度の時間変化を捕らえることができる。この情報を用いれば、研磨条件（圧力、回転数など）を制御して、一定研磨速度を実現することが可能になるほか、研磨布の寿命の判定や予測や、適正なドレッシング条件の割り出しも可能となる。また半導体ウエハ上の半径位置が異なる複数の測定点の膜厚の時間変化を用いれば、ウエハの研磨プロファイルをバックサイドプレッシャーなどを用いて、研磨中に制御することも可能となる。
【００２４】
また検出された膜厚が所定の膜厚にほぼ一致した時点で研磨動作を終了するようにポリッシング装置を制御することができる。
さらに検出された平坦度が所定の平坦度にほぼ一致した時点で研磨動作を終了するようにポリッシング装置を制御することができる。
【００２５】
図３にターンテーブル１内に投光部７及び受光部８からなるセンサＳを埋め込み配置した場合を示す。図３（ａ）は平面図、図３（ｂ）は部分断面図である。半導体ウエハ２の中心の位置する軌道１４上に該投光部７、受光部８を配置することで、１組のみで被研磨面全面の膜厚検出が可能である。ただし、この場合は、ウエハ面上を一定時間内で移動しながら膜厚を検出していくため、各膜厚の検出時刻に多少のタイムラグが生ずる。従って同一時刻での検出が必要な場合は、投光部７、受光部８からなるセンサＳを複数個配置する必要がある。
【００２６】
図４はターンテーブルの半径方向に複数のセンサＳを配置した場合を示す図であり、図４（ａ）は平面図、図４（ｂ）は部分断面図である。複数のセンサＳは半径方向に所定間隔をおいて配置されている。この場合、いずれのセンサＳも半導体ウエハ２の軌道内に位置している。
また、ターンテーブル１内に投光部７、受光部８を埋め込み配置した場合は、その領域には研磨布４が存在しないため、研磨布４全面でみると、半導体ウエハ２の研磨面に対する研磨強度にムラが生ずることになる。これを是正するために図３及び図４に示すように該投光部７、受光部８が配置された部分を含む、研磨布４の斜線部分（ターンテーブル中心Ｏと外周の弧によって囲まれる部分）Ａの領域については、研磨能力の極めて低い研磨布または研磨能力を有しない材料（シール状のテープなど）を設けることとする。
【００２７】
次の方法によって酸化膜の膜厚を測定することもできる。即ち、投光部から半導体ウエハに入射した光は、酸化膜に入射し、膜の上下面で反射する。この膜の上下面で反射した反射光は互いに干渉して干渉色を生ずる。この干渉色を受光部で測光することにより酸化膜の厚さを測定することができる。
尚、実施例においては、半導体ウエハの表面に形成される膜を酸化膜を例に挙げて説明したが、膜の種類は酸化膜に限られない。
【００２８】
【発明の効果】
以上説明したように本発明によれば、研磨中に、投光部から被研磨物の研磨面に光を投射し、被研磨面で反射する光を受光部で受光し、該受光部で受光する反射光から被研磨物の膜厚をリアルタイムで、かつ連続的に自動検出できる。したがって、従来のように、被研磨物の膜厚を検出するたびに被研磨物をトップリングから取り外す必要がないのは勿論、研磨途中で、トップリングをターンテーブル外までずらす必要もない。
【図面の簡単な説明】
【図１】本発明に係るポリッシング装置の概略構成を示す縦断面図である。
【図２】本発明に係るポリッシング装置の要部構成を示す縦断面図である。
【図３】本発明に係るポリッシング装置におけるセンサの投光部と受光部の配置関係を示す図である。
【図４】本発明に係るポリッシング装置におけるセンサの投光部と受光部の配置関係の他の例を示す図である。
【符号の説明】
１  ターンテーブル
２  半導体ウエハ
３  トップリング
４  研磨布
５  研磨液ノズル
６  ガイドリング
Ｓ  センサ
７  投光部
８  受光部
９  増幅部
１０  アナログフィルタ
１１  Ａ／Ｄ変換部
１２  演算部
１３  制御部
【図１】
0003601910.tif 000002
【図２】
0003601910.tif 000003
【図３】
0003601910.tif 000004
【図４】
0003601910.tif 000005